(57)【要約】【課題】  本発明は天然石平板を用いて舗装しても、雨水を効率よく天然石平板の底面へ導水させ、サンドクッション層を通して地中へ浸透させることができる、敷設が容易で、経済的に設置することができる天然石平板を用いた透水性舗装方法、該透水性舗装方法に用いられる天然石平板および舗装用強化板を得るにある。【解決手段】  路盤層本体を形成した後、該路盤層本体の上部に透水シートを敷設し、その上にサンドクッション層を形成した路盤層を形成する路盤形成工程と、この路盤形成工程後に路盤のサンドクッション層の上部に、格子状に縦目地部と横目地部が形成でき、かつ底面に複数個の導水溝および、該導水溝の少なくとも一部の端部に導水溝より深い取水口を形成された多数個の天然石平板を、該天然石平板の取水口をふさぐことのない部位に位置する縦目地板および横目地板が立設された舗装用強化板を角部に配置しながら敷設する天然石平板の敷設工程とで天然石平板を用いた透水性舗装方法を構成している。【選択図】  図１
2011127388.tif 000002
【特許請求の範囲】
【請求項１】
路盤層本体を形成した後、該路盤層本体の上部に透水シートを敷設し、その上にサンドクッション層を形成した路盤層を形成する路盤形成工程と、この路盤形成工程後に路盤のサンドクッション層の上部に、格子状に縦目地部と横目地部が形成でき、かつ底面に複数個の導水溝および、該導水溝の少なくとも一部の端部に導水溝より深い取水口を形成された多数個の天然石平板を、該天然石平板の取水口をふさぐことのない部位に位置する縦目地板および横目地板が立設された舗装用強化板を角部に配置しながら敷設する天然石平板の敷設工程とからなることを特徴とする天然石平板を用いた透水性舗装方法。
【請求項２】
天然石平板の敷設工程では天然石平板の厚さ寸法よりも小さな寸法の縦目地板および横目地板が立設された舗装用強化板を用いるとともに、敷設された天然石平板の縦目地部および横目地部の舗装用強化板の位置している部分に目地材を充填した半空目地部を形成することを特徴とする請求項１記載の天然石平板を用いた透水性舗装方法。
【請求項３】
天然石平板の敷設工程では縦目地板の厚みと横目地板の厚みが異なる舗装用強化板が用いられていることを特徴とする請求項１記載の天然石平板を用いた透水性舗装方法。
【請求項４】
正方形状あるいは長方形状に形成された天然石平板本体と、この天然石平板本体の底面に格子状に形成された複数個の導水口と、この複数個の導水口の一部の導水口の端部に形成された、該導水口の溝よりも深い半円弧あるいは三角形状のいずれか一方、あるいは組み合わされた形状の取水口とからなることを特徴とする透水性舗装方法に用いられる天然石平板。
【請求項５】
格子状に配置される天然石平板のそれぞれの角部の底面に位置させることができるベース板と、このベース板の中心部を除く部位に立設するように形成された格子状に配置される天然石平板の縦目地部と横目地部の寸法が異なるように配置することができる縦目地板および横目地板とからなることを特徴とする透水性舗装方法に用いられる舗装用強化板。
【請求項６】
格子状に配置される天然石平板のそれぞれの角部の底面に位置させることができるベース板と、このベース板の中心部を除く部位で、天然石平板の厚さ寸法よりも小さくなるように立設され、格子状に配置される天然石平板の縦目地部と横目地部の寸法が異なり、かつ線接触状態で天然石平板の側面と接触するように配置された縦目地板および横目地板と、前記ベース板の中央部で、かつ天然石平板の厚さ寸法よりも小さくなるように立設された、格子状に配置される天然石平板の角部の位置決めを図る十字状の位置決め板とからなることを特徴とする透水性舗装方法に用いられる舗装用強化板。
【発明の詳細な説明】
【技術分野】
【０００１】
本発明は雨水を透す細かい透水孔を形成することが極めて困難である天然石平板を用いて、雨水を地中に浸透させることができる透水性舗装方法、該透水性舗装方法に用いられる天然石平板および舗装用強化板に関する。
【背景技術】
【０００２】
ヒートアイランド現象による集中豪雨は、地球温暖化に伴って確実に増加しており、都市河川の氾濫をきたして安全で快適な生活環境を脅かしている。
この都市河川の氾濫を防止するための施策として、舗装の透水化が進められている。舗装の透水化とは、いうまでもなく、雨水を地中に透水させることで一時的に雨水を舗装内に貯留し、集中して河川に流入することを防ぎ、よって都市河川の氾濫を抑制しようとするものである。
【０００３】
都市を構成する舗装形態には、アスファルト舗装、コンクリート舗装、コンクリートブロック舗装、天然石平板舗装、レンガ舗装があるが、このうち唯一天然石平板舗装は、他の舗装体と異なり天然石平板をポーラス化することができないために天然石平板舗装の透水化は今だ実施されていない。
【先行技術文献】
【特許文献】
【０００４】
【特許文献１】特開平１１−００１９０３
【発明の概要】
【発明が解決しようとする課題】
【０００５】
本発明は以上のような点から、天然石平板を用いて舗装しても、雨水を効率よく天然石平板の底面へ導水させ、サンドクッション層を通して地中へ浸透させることができる、敷設が容易で、経済的に設置することができる天然石平板を用いた透水性舗装方法、該透水性舗装方法に用いられる天然石平板および舗装用強化板を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は路盤層本体を形成した後、該路盤層本体の上部に透水シートを敷設し、その上にサンドクッション層を形成した路盤層を形成する路盤形成工程と、この路盤形成工程後に路盤のサンドクッション層の上部に、格子状に縦目地部と横目地部が形成でき、かつ底面に複数個の導水溝および、該導水溝の少なくとも一部の端部に導水溝より深い取水口を形成された多数個の天然石平板を、該天然石平板の取水口をふさぐことのない部位に位置する縦目地板および横目地板が立設された舗装用強化板を角部に配置しながら敷設する天然石平板の敷設工程とで天然石平板を用いた透水性舗装方法を構成している。
【０００９】
本発明は正方形状あるいは長方形状に形成された天然石平板本体と、この天然石平板本体の底面に格子状に形成された複数個の導水口と、この複数個の導水口の一部の導水口の端部に形成された、該導水口の溝よりも深い半円弧あるいは三角形状のいずれか一方、あるいは組み合わされた形状の取水口とで透水性舗装方法に用いられる天然石平板を構成している。
【００１０】
本発明は格子状に配置される天然石平板のそれぞれの角部の底面に位置させることができるベース板と、このベース板の中心部を除く部位に立設するように形成された格子状に配置される天然石平板の縦目地部と横目地部の寸法が異なるように配置することができる縦目地板および横目地板とで透水性舗装方法に用いられる舗装用強化板を構成している。
【発明の効果】
【００１１】
以上の説明から明らかなように、本発明にあっては次に列挙する効果が得られる。
（１）請求項1によって、天然石平板の敷設工程で、天然石平板を縦目地部および横目地部が形成できるように舗装用強化板を角部に配置しながら敷設するので、雨水を縦目地部および横目地部より、サンドクッション層を通して地中に浸透させることができる。
（２）前記（１）により、縦目地部および横目地部は舗装用強化板の縦目地板および横目地板の厚さ寸法で設定されるため、縦目地部および横目地部がふさがることなく、確実に各目地部より雨水を地中に浸透させることができる。
（３）前記（１）によって、天然石平板の底面に複数個の導水溝および、該導水溝の少なくとも一部の端部に導水溝より深い取水口を形成したものを使用しているので、雨水を取水口より、天然石平板の底面に形成した導水溝へ導くことができ、縦目地部および横目地部以外の天然石平板の底面の導水溝部分よりサンドクッション層を通して地中へ浸透させることができ、効率よく雨水を地中へ浸透させることができる。
（４）請求項２も前記（１）〜（３）と同様な効果が得られるとともに、縦目地部と横目地部に位置する舗装用強化板の縦目地板および横目地板が天然石平板の上面より低い位置に位置するため、縦目地部および横目地部をきれいに形成することができる。
（５）請求項３は前記（１）〜（３）と同様な効果が得られるとともに、縦目地部および横目地部の幅寸法の異なる舗装を行なうことができる。
（６）請求項4は雨水を目地部より効率よく天然石平板本体の底面へ導き、地中へ浸透させることができる。
（７）請求項５は天然石平板を効率よく格子状に敷設することができるとともに、長年の使用でも縦目地部および横目地部の寸法が小さくなるのを確実に阻止することができる。
（８）請求項６は天然石平板を効率よく、正確に格子状に敷設することができるとともに、長年の使用でも縦目地部および横目地部の寸法が小さくなるのを確実に阻止することができる。
【図面の簡単な説明】
【００１２】
【図１】本発明を実施するための第１の形態の平面図。
【図２】図1の２−２線に沿う断面図。
【図３】図1の３−３線に沿う断面図。
【図４】本発明を実施するための第1の形態の工程図。
【図５】本発明を実施するための第1の形態の天然石平板の平面図。
【図６】本発明を実施するための第1の形態の天然石平板の正面図。
【図７】本発明を実施するための第1の形態の天然石平板の背面図。
【図８】本発明を実施するための第1の形態の天然石平板の右側面図。
【図９】本発明を実施するための第1の形態の天然石平板の左側面図。
【図１０】本発明を実施するための第1の形態の天然石平板の底面図。
【図１１】図５の１１−１１線に沿う断面図。
【図１２】本発明を実施するための第1の形態の舗装用強化板の平面図。
【図１３】本発明を実施するための第1の形態の舗装用強化板の正面図。
【図１４】本発明を実施するための第1の形態の舗装用強化板の背面図。
【図１５】本発明を実施するための第1の形態の舗装用強化板の右側面図。
【図１６】本発明を実施するための第1の形態の舗装用強化板の左側面図。
【図１７】本発明を実施するための第1の形態の舗装用強化板の底面図。
【図１８】図１２の１８−１８線に沿う断面図。
【図１９】本発明を実施するための第２の形態の平面図。
【図２０】本発明を実施するための第２の形態の工程図。
【図２１】本発明を実施するための第２の形態の天然石平板の平面図。
【図２２】図２１の２２−２２線に沿う断面図。
【図２３】本発明を実施するための第３の形態の平面図。
【図２４】本発明を実施するための第３の形態の工程図。
【図２５】本発明を実施するための第３の形態の天然石平板の平面図。
【図２６】図２５の２６−２６線に沿う断面図。
【図２７】本発明を実施するための第４の形態の平面図。
【図２８】本発明を実施するための第４の形態の工程図。
【図２９】本発明を実施するための第４の形態の天然石平板の平面図。
【図３０】図２９の３０−３０線に沿う断面図。
【図３１】本発明を実施するための第５の形態の平面図。
【図３２】本発明を実施するための第５の形態の工程図。
【図３３】本発明を実施するための第５の形態の天然石平板の平面図。
【図３４】図３３の３４−３４線に沿う断面図。
【図３５】本発明を実施するための第6の形態の平面図。
【図３６】本発明を実施するための第6の形態の工程図。
【図３７】図３５の３７−３７線に沿う断面図。
【図３８】図３５の３８−３８線に沿う断面図。
【図３９】本発明を実施するための第７の形態の平面図。
【図４０】本発明を実施するための第７の形態の工程図。
【図４１】本発明を実施するための第７の形態の舗装用強化板の平面図。
【図４２】本発明を実施するための第８の形態の平面図。
【図４３】本発明を実施するための第８の形態の工程図。
【図４４】本発明を実施するための第８の形態の舗装用強化板の平面図。
【図４５】本発明を実施するための第９の形態の平面図。
【図４６】本発明を実施するための第９の形態の工程図。
【図４７】本発明を実施するための第９の形態の舗装用強化板の平面図。
【図４８】本発明を実施するための第１０の形態の平面図。
【図４９】本発明を実施するための第１０の形態の工程図。
【図５０】本発明を実施するための第１０の形態の舗装用強化板の平面図。
【図５１】本発明を実施するための第１１の形態の平面図。
【図５２】本発明を実施するための第１１の形態の工程図。
【図５３】本発明を実施するための第１１の形態の舗装用強化板の平面図。
【図５４】本発明を実施するための第１２の形態の平面図。
【図５５】本発明を実施するための第１２の形態の工程図。
【図５６】本発明を実施するための第１２の形態の舗装用強化板の平面図。
【図５７】本発明を実施するための第１３の形態の平面図。
【図５８】本発明を実施するための第１３の形態の工程図。
【図５９】本発明を実施するための第１３の形態の舗装用強化板の平面図。
【図６０】本発明を実施するための第１４の形態の平面図。
【図６１】本発明を実施するための第１４の形態の工程図。
【図６２】本発明を実施するための第１４の形態の舗装用強化板１４Ｈの説明図。
【図６３】本発明を実施するための第１５の形態の平面図。
【図６４】本発明を実施するための第１５の形態の工程図。
【図６５】本発明を実施するための第１５の形態の舗装用強化板１４Ｈの説明図。
【発明を実施するための形態】
【００１３】
以下、図面に示す本発明を実施するための形態により、本発明を詳細に説明する。
【００１４】
図１ないし図１８に示す本発明を実施するための第１の形態において、１は本発明の雨水を地中へ浸透させることができる天然石平板を用いた透水性舗装方法で、この天然石平板を用いた透水性舗装方法1は従来と同様に路盤層本体２を形成した後、該路盤層本体２の上部に透水シート３を敷設し、その上にサンドクッション層４を形成した路盤５を形成する路盤形成工程６と、この路盤形成工程６後に前記路盤５のサンドクッション層4の上部に格子状に縦目地部7と横目地部8が形成でき、かつ底面に複数個、本発明の実施の形態では格子状の導水溝９および、該導水溝９の少なくとも一部の端部、本発明の実施の形態では各面の端部に１個の導水溝９より深い取水口１０、１０、１０、１０が形成された多数個の天然石平板１１を、該天然石平板１１の取水口１０、１０、１０、１０をふさぐことのない部位に位置する縦目地板１２、１２および横目地板１３、１３が立設された舗装用強化板１４を該天然石平板の角部に配置しながら敷設する天然石平板の敷設工程１５とで構成されている。
【００１５】
前記天然石平板１１は縦・横・高さ寸法が、例えば３００ｍｍ×３００ｍｍ×６０ｍｍの正方形状の天然石平板本体１６と、この天然石平板本体１６の底面に形成された、該底面の縦、横を５等分するように、例えば幅寸法が５ｍｍ、深さ寸法が１０ｍｍの格子状の導水溝９と、前記天然石平板本体１６の各辺の左側の導水溝９の端部より３０ｍｍ〜６０ｍｍの所に、端部の高さ寸法が、例えば４０ｍｍの円盤状のカッターで弧状に形成された取水口１０、１０、１０、１０とで構成されている。  
【００１６】
前記舗装用強化板１４は再生プラスチックを用いて形成されたもので、各辺の中央部が半円弧状に除去したような形状の正方形状を加工し、かつ表面に凹凸部１７を多数形成したベース板１８と、このベース板１８の中心部を除く部位で、かつ前記天然石平板１１の厚さ寸法よりも小さくなるように立設され、格子状に配置される天然石平板１１の縦目地部７と横目地部８の寸法が異なるように配置することができる、例えば１５ｍｍの縦目地板１２および３ｍｍの横目地板１３と、前記ベース板１８の中央部で、かつ天然石平板１１の厚さ寸法よりも小さくなるように立設された、格子状に配置される天然石平板１１の角部の位置決めを図る十字状、縦目地板１２側は１５ｍｍ、横目地板１３側は３ｍｍの厚さの位置決め板１９とで構成されている。
【００１７】
上記の天然石平板を用いた透水性舗装方法１で設けられた透水性舗装２０は、天然石平板１１の角部に配置された舗装用強化板１４の縦目地板１２および横目地板１３によって、縦目地部７および横目地部８が設定され、かつこれらの目地部７、８が使用により狭くなることがない。
【００１８】
このため、天然石平板１１上に降った雨は縦目地部７および横目地部８内へ入り込み、一部は下部のサンドクッション層４、透水シート３を介して路盤層本体２内へ浸透するとともに、他の雨水は天然石平板１１の取水口１０、１０、１０、１０および導水溝９で天然石平板１１の底面へ導かれ、該部よりサンドクッション層４、透水シート３を介して路盤層本体２、すなわち地中へ浸透させることができる。
【００１９】
また、縦目地部７と横目地部８の幅寸法が縦目地板１２および横目地板１３の厚さ寸法で異なるので、縦・横目地部７、８の幅寸法の異なる舗装を行なうことができる。    
【００２０】
[発明を実施するための異なる形態]
次に、図１９ないし図６５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１９ないし図２２に示す本発明を実施するための第２の形態において、前記本発明を実施するための第１の形態と主に異なる点は、４分の１のトラック形状の取水口１０Ａ、１０Ａ、１０Ａ、１０Ａを形成した天然石平板１１Ａを用いて天然石平板の敷設工程１５Ａを行なった点で、このような天然石平板の敷設工程１５Ａを行なった天然石平板を用いた透水性舗装方法１Ａにしても、前記本発明を実施するための第１の形態と同様な作用効果が得られる。
【００２２】
図２３ないし図２６に示す本発明を実施するための第３の形態において、前記本発明を実施するための第１の形態と主に異なる点は、三角形状の取水口１０Ｂ、１０Ｂ、１０Ｂ、１０Ｂを形成した天然石平板１１Ｂを用いて天然石平板の敷設工程１５Ｂを行なった点で、このような天然石平板の敷設工程１５Ｂを行なった天然石平板を用いた透水性舗装方法１Ｂにしても、前記本発明を実施するための第１の形態と同様な作用効果が得られる。
【００２３】
図２７ないし図３０に示す本発明を実施するための第４の形態において、前記本発明を実施するための第１の形態と主に異なる点は、４分の１のトラック形状で、かつ開口端部の開口が大きくなるような傾斜面２１の取水口１０Ｃ、１０Ｃ、１０Ｃ、１０Ｃを形成した天然石平板１１Ｃを用いて天然石平板の敷設工程１５Ｃを行なった点で、このような天然石平板の敷設工程１５Ｃを行なった天然石平板を用いた透水性舗装方法１Ｃにしても、前記本発明を実施するための第１の形態と同様な作用効果が得られる。
【００２４】
図３１ないし図３４に示す本発明を実施するための第５の形態において、前記本発明を実施するための第１の形態と主に異なる点は、各辺の両端部の導水溝９、９の端部に取水口１０、１０をそれぞれ形成した天然石平板１１Ｄを用いて天然石平板の敷設工程１５Ｄを行なった点で、このような天然石平板の敷設工程１５Ｄを行なった天然石平板を用いた透水性舗装方法１Ｄにしても、前記本発明を実施するための第１の形態と同様な作用効果が得られる。
【００２５】
図３５ないし図３８に示す本発明を実施するための第６の形態において、前記本発明を実施するための第１の形態と主に異なる点は、天然石平板１１、１１、１１、１１の縦目地部７および横目地部８の舗装用強化板１４、１４、１４、１４の位置している部位に、砂や砂に類似する物体等の目地材２２を充填して半空目地部２３を形成する作業を行なう天然石平板の敷設工程１５Ｅを行なった点で、このような天然石平板の敷設工程１５Ｅを行なった天然石平板を用いた透水性舗装方法１Ｅにしても、前記本発明を実施するための第１の形態と同様な作用効果が得られる。
【００２６】
図３９ないし図４１に示す本発明を実施するための第７の形態において、前記本発明を実施するための第６の形態と主に異なる点は、両端部が天然石平板１１、１１の側面と線接触する傾斜面に形成された縦目地板１２Ａ、１２Ａと横目地板１３Ａ、１３Ａを有する舗装用強化板１４Ａを用いて天然石平板の敷設工程１５Ｆを行なった点で、このような天然石平板の敷設工程１５Ｆを行なった天然石平板を用いた透水性舗装方法１Ｆにしても、前記本発明を実施するための第６の形態と同様な作用効果が得られるとともに、縦目地板１２Ａ、１２Ａ、横目地板１３Ａ、１３Ａ、目地材２２で天然石平板１１、１１を強固に連結することができる。
【００２７】
図４２ないし図４４に示す本発明を実施するための第８の形態において、前記本発明を実施するための第６の形態と主に異なる点は、中央部と両端部が天然石平板１１、１１の側面と線接触状態で接触するへの字状に形成された縦目地板１２Ｂ、１２Ｂと横目地板１３Ｂ、１３Ｂを有する舗装用補強板１４Ｂを用いて天然石平板の敷設工程１５Ｇを行なった点で、このような天然石平板の敷設工程１５Ｇを行なった天然石平板を用いた透水性舗装方法１Ｇにしても、前記本発明を実施するための第６および第７の形態と同様な作用効果が得られる。
【００２８】
図４５ないし図４７に示す本発明を実施するための第９の形態において、前記本発明を実施するための第６の形態と主に異なる点は、一方の天然石平板１１の側面と線接触状態で接触する三角形状に形成された縦目地板１２Ｃ、１２Ｃと横目地板１３Ｃ、１３Ｃを有する舗装用強化板１４Ｃを用いて天然石平板の敷設工程１５Ｈを行なった点で、このような天然石平板の敷設工程１５Ｈを行なった天然石平板を用いた透水性舗装方法１Ｈにしても、前記本発明を実施するための第６および第７の形態と同様な作用効果が得られる。
【００２９】
図４８ないし図５０に示す本発明を実施するための第１０の形態において、前記本発明を実施するための第６の形態と主に異なる点は、天然石平板１１、１１の側面と線接触状態で接触する菱形形状に形成された縦目地板１２Ｄ、１２Ｄと横目地板１３Ｄ、１３Ｄを有する舗装用強化板１４Ｄを用いて天然石平板の敷設工程１５Ｉを行なった点で、このような天然石平板の敷設工程１５Ｉを行なった天然石平板を用いた透水性舗装方法１Ｉにしても、前記本発明を実施するための第６および第７の形態と同様な作用効果が得られる。
図５１ないし図５３に示す本発明を実施するための第１１の形態において、前記本発明を実施するための第６の形態と主に異なる点は、天然石平板１１、１１の側面と線接触状態で接触する円柱状に形成された縦目地板１２Ｅ、１２Ｅと横目地板１３Ｅ、１３Ｅを有する舗装用強化板１４Ｅを用いて天然石平板の敷設工程１５Ｊを行なった点で、このような天然石平板の敷設工程１５Ｊを行なった天然石平板を用いた透水性舗装方法１Ｊにしても、前記本発明を実施するための第６および第７の形態と同様な作用効果が得られる。
【００３０】
図５４ないし図５６に示す本発明を実施するための第１２の形態において、前記本発明を実施するための第１１の形態と主に異なる点は、天然石平板１１、１１の側面との間に隙間２４、２４を有する平板２５を配置した舗装用強化板１４Ｆを用いて天然石平板の敷設工程１５Ｋを行なった点で、このような天然石平板の敷設工程１５Ｋを行なった天然石平板を用いた透水性舗装方法１Ｋにしても、前記本発明を実施するための第１１の形態と同様な作用効果が得られる。
【００３１】
図５７ないし図５９に示す本発明を実施するための第１３の形態において、前記本発明を実施するための第６の形態と主に異なる点は、天然石平板１１、１１の側面と線接触状態で接触するように平板２６の両側部寄りの側面に円柱２７、２７を形成した縦目地板１２Ｆ、１２Ｆと横目地板１３Ｆ、１３Ｆを有する舗装用強化板１４Ｇを用いて天然石平板の敷設工程１５Ｌを行なった点で、このような天然石平板の敷設工程１５Ｌを行なった天然石平板を用いた透水性舗装方法１Ｌにしても、前記本発明を実施するための第６および第７の形態と同様な作用効果が得られる。
【００３２】
なお、舗装用強化板として、第１、第７〜第１３の実施の形態で用いられた縦目地板１２、１２Ａ、１２Ｂ、１２Ｃ、１２Ｄ、１２Ｅ、１２Ｆと横目地板１３、１３Ａ、１３Ｂ、１３Ｃ、１３Ｄ、１３Ｅ、１３Ｆのいずれかの組み合わせでベース板１８に立設させたものを用いてもよい。  
【００３３】
図６０ないし図６２に示す本発明を実施するための第１４の形態において、前記本発明を実施するための第１の形態と主に異なる点は、舗装用強化板１４と縦目地板２８、２８と横目地板２９、２９の厚さが同じで、薄い厚さに形成された舗装用強化板１４Ｈとを用いて、縦目地部７が広くなるように天然石平板１１を敷設する天然石平板の敷設工程１５Ｍを行なった点で、このような天然石平板の敷設工程１５Ｍを行なった天然石平板を用いた透水性舗装方法１Ｍにしても、前記本発明を実施するための第１の形態と同様な作用効果が得られるとともに、前記第１の実施の形態とは異なる形状に天然石平板を敷設することができる。
【００３４】
図６３ないし図６５に示す本発明を実施するための第１５の形態において、前記本発明を実施するための第１４の形態と主に異なる点は、舗装用強化板１４、１４Ｈと縦目地板３０、３０と横目地板３１、３１の厚さが同じで、厚い形状に形成された舗装用強化板１４Ｉとを用いて４枚の天然石平板１１、１１、１１、１１の外周部が厚い目地部となるように天然石平板を敷設する天然石平板の敷設工程１５Ｎを行なった点で、このような天然石平板の敷設工程１５Ｎを行なった天然石平板を用いた透水性舗装方法１Ｎにしても、前記本発明を実施するための第１４の形態と同様な作用効果が得られる。
【産業上の利用可能性】
【００３５】
本発明は舗装工事業者や天然石平板や舗装用強化板を製造する産業で利用される。
【符号の説明】
【００３６】
１、１Ａ〜１Ｎ：天然石平板を用いた透水性舗装方法、
２：路盤層本体、      ３：透水シート、
４：サンドクッション層、    ５：路盤、  
６：路盤形成工程、      ７：縦目地部、
８：横目地部、      ９：導水溝、
１０、１０Ａ、１０Ｂ、１０Ｃ：取水口、
１１、１１Ａ、１１Ｂ、１１Ｃ、１１Ｄ：天然石平板、
１２、１２Ａ〜１２Ｆ：縦目地板、
１３、１３Ａ〜１３Ｆ：横目地板、
１４、１４Ａ〜１４Ｉ：舗装用強化板、
１５、１５Ａ〜１５Ｎ：天然石平板の敷設工程、
１６：天然石平板本体、    １７：凹凸部、
１８：ベース板、      １９：位置決め板、
２０：透水性舗装、      ２１：傾斜面、
２２：目地材、      ２３：半空目地部、
２４：隙間、        ２５：平板、
２６：平板、        ２７：円柱、
２８：縦目地板、      ２９：横目地板、
３０：縦目地板、      ３１：横目地板。
【図１】
2011127388.tif 000003
【図２】
2011127388.tif 000004
【図３】
2011127388.tif 000005
【図４】
2011127388.tif 000006
【図５】
2011127388.tif 000007
【図６】
2011127388.tif 000008
【図７】
2011127388.tif 000009
【図８】
2011127388.tif 000010
【図９】
2011127388.tif 000011
【図１０】
2011127388.tif 000012
【図１１】
2011127388.tif 000013
【図１２】
2011127388.tif 000014
【図１３】
2011127388.tif 000015
【図１４】
2011127388.tif 000016
【図１５】
2011127388.tif 000017
【図１６】
2011127388.tif 000018
【図１７】
2011127388.tif 000019
【図１８】
2011127388.tif 000020
【図１９】
2011127388.tif 000021
【図２０】
2011127388.tif 000022
【図２１】
2011127388.tif 000023
【図２２】
2011127388.tif 000024
【図２３】
2011127388.tif 000025
【図２４】
2011127388.tif 000026
【図２５】
2011127388.tif 000027
【図２６】
2011127388.tif 000028
【図２７】
2011127388.tif 000029
【図２８】
2011127388.tif 000030
【図２９】
2011127388.tif 000031
【図３０】
2011127388.tif 000032
【図３１】
2011127388.tif 000033
【図３２】
2011127388.tif 000034
【図３３】
2011127388.tif 000035
【図３４】
2011127388.tif 000036
【図３５】
2011127388.tif 000037
【図３６】
2011127388.tif 000038
【図３７】
2011127388.tif 000039
【図３８】
2011127388.tif 000040
【図３９】
2011127388.tif 000041
【図４０】
2011127388.tif 000042
【図４１】
2011127388.tif 000043
【図４２】
2011127388.tif 000044
【図４３】
2011127388.tif 000045
【図４４】
2011127388.tif 000046
【図４５】
2011127388.tif 000047
【図４６】
2011127388.tif 000048
【図４７】
2011127388.tif 000049
【図４８】
2011127388.tif 000050
【図４９】
2011127388.tif 000051
【図５０】
2011127388.tif 000052
【図５１】
2011127388.tif 000053
【図５２】
2011127388.tif 000054
【図５３】
2011127388.tif 000055
【図５４】
2011127388.tif 000056
【図５５】
2011127388.tif 000057
【図５６】
2011127388.tif 000058
【図５７】
2011127388.tif 000059
【図５８】
2011127388.tif 000060
【図５９】
2011127388.tif 000061
【図６０】
2011127388.tif 000062
【図６１】
2011127388.tif 000063
【図６２】
2011127388.tif 000064
【図６３】
2011127388.tif 000065
【図６４】
2011127388.tif 000066
【図６５】
2011127388.tif 000067